【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
複数の表示画素が行方向及び列方向に配列され、前記表示画素が異なる色成分に対応した複数のサブ画素を有し、前記列方向に隣接する前記表示画素間で同一の色成分に対応する前記サブ画素が隣接するストライプ配列であるように配置されている表示装置であって、
所定の色成分の階調データを前記表示画素に対応した座標毎に取得する階調データ取得部と、
前記階調データ取得部により取得された、当該座標での前記所定の色成分の階調データと、当該座標の前記行方向に隣接した座標での前記所定の色成分の階調データと、に基づいて当該座標での前記所定の色成分の変換後の階調データを求める階調データ変換部と、
前記階調データ変換部により求められた当該座標での前記所定の色成分の変換後の階調データに対応する表示信号を、前記所定の色成分に対応した前記サブ画素に供給するデータ供給部と、
を具備することを特徴とする表示装置。
【請求項２】
前記階調データ変換部は前記所定の色成分以外の色成分については変換をせず、
前記データ供給部は前記階調データ取得部で取得した階調データに対応する表示信号を、前記所定の色成分以外の色成分に対応した前記サブ画素にそのまま供給する、
ことを特徴とする請求項１に記載の表示装置。
【請求項３】
前記階調データ変換部は、当該座標での前記所定の色成分のサブ画素の変換後の輝度が、当該座標での前記所定の色成分の変換前の階調データに対応した輝度と、当該座標の前記行方向に隣接した座標での前記前記所定の色成分の変換前の階調データに対応した輝度と、の平均輝度になるように階調データを変換することを特徴とする請求項１又は２に記載の表示装置。
【請求項４】
前記平均は相加平均であることを特徴とする請求項３に記載の表示装置。
【請求項５】
前記表示画素が前記行方向の何れか一方の側から、赤色成分に対応したサブ画素、緑色成分に対応したサブ画素、青色成分に対応したサブ画素、の順に配置された３つのサブ画素を有し、
前記所定の色成分が前記青色成分であることを特徴とする請求項１乃至４のいずれかに記載の表示装置。
【請求項６】
変換前の前記階調データの階調レベルがＤである時の、前記サブ画素の前記表示輝度であるＬ（Ｄ）は、当該階調レベルの最大値をＤｍａｘ、当該階調レベルがＤｍａｘである時の前記サブ画素の輝度をＬ（Ｄｍａｘ）、γ係数をγとしたとき、
Ｌ（Ｄ）＝（Ｄ/Ｄｍａｘ）γ×Ｌ（Ｄｍａｘ）
によって予め設定されていることを特徴とする請求項３に記載の表示装置。
【請求項７】
前記γ係数は２．２に設定されていることを特徴とする請求項６に記載の表示装置。
【請求項８】
前記表示画素の右端または左端の青色成分サブ画素において、前記平均輝度を求めるときに、当該座標での青色成分のサブ画素の前記行方向の右側または左側に隣接した座標に青色成分サブ画素が無い場合には、
前記階調データ変換部は当該青色成分サブ画素については変換をせず、
前記データ供給部は前記階調データ取得部で取得した階調データに対応する表示信号を、当該青色成分サブ画素にそのまま供給する、
ことを特徴とする請求項５に記載の表示装置。
【請求項９】
複数の表示画素が行方向及び列方向に配列され、前記表示画素が異なる色成分に対応した複数のサブ画素を有し、前記列方向に隣接する前記表示画素間で同一の色成分に対応する前記サブ画素が隣接するストライプ配列であるように配置されている表示装置の表示方法であって、
所定の色成分の階調データを前記表示画素に対応した座標毎に取得する階調データ取得ステップと、
前記階調データ取得部により取得された、当該座標での前記所定の色成分の階調データと、当該座標の前記行方向に隣接した座標での前記所定の色成分の階調データと、に基づいて当該座標での前記所定の色成分の変換後の階調データを求める階調データ変換ステップと、
前記階調データ変換ステップにより求められた当該座標での前記所定の色成分の変換後の階調データに対応する表示信号を、前記所定の色成分に対応した前記サブ画素に供給するデータ供給ステップと、
を有することを特徴とする表示方法。
【請求項１０】
前記階調データ変換ステップは前記所定の色成分以外の色成分については変換をせず、
前記データ供給ステップは前記階調データ取得ステップで取得した階調データに対応する表示信号を、前記所定の色成分以外の色成分に対応した前記サブ画素にそのまま供給する、
ことを特徴とする請求項９に記載の表示方法。
【手続補正２】
【補正対象書類名】明細書
【補正対象項目名】０００３
【補正方法】変更
【補正の内容】
【０００３】
上述したような表示装置では、赤色成分に対応したサブ画素と、緑色成分に対応したサブ画素と、青色成分に対応したサブ画素は、当該表示装置の表示領域において異なる座標上に配置されている。そして、所定の表示画素において、赤色成分、緑色成分、青色成分のうちの何れか１つに対応する色の表示を行う際には、表示画素における３つのサブ画素のうちの１つのサブ画素で高い輝度が得られるように表示が行われ、残りの２つのサブ画素では低い輝度となるように表示が行われる。このため、上述したようなストライプ配列の場合、例えば、列方向に延伸する直線であって、当該直線の色が行毎に赤色、緑色、青色の順に繰り返し異なっているような直線を表示させるときには、当該直線がジグザグに表示されてしまうという問題があった。即ち、表示させたい画像に対して、実際に表示される画像で位置ずれが生じてしまうという問題があった。
【手続補正３】
【補正対象書類名】明細書
【補正対象項目名】０００５
【補正方法】変更
【補正の内容】
【０００５】
上記の目的を達成するために、本発明の第１の態様の表示装置は、複数の表示画素が行方向及び列方向に配列され、前記表示画素が異なる色成分に対応した複数のサブ画素を有し、前記列方向に隣接する前記表示画素間で同一の色成分に対応する前記サブ画素が隣接するストライプ配列であるように配置されている表示装置であって、所定の色成分の階調データを前記表示画素に対応した座標毎に取得する階調データ取得部と、前記階調データ取得部により取得された、当該座標での前記所定の色成分の階調データと、当該座標の前記行方向に隣接した座標での前記所定の色成分の階調データと、に基づいて当該座標での前記所定の色成分の変換後の階調データを求める階調データ変換部と、前記階調データ変換部により求められた当該座標での前記所定の色成分の変換後の階調データに対応する表示信号を、前記所定の色成分に対応した前記サブ画素に供給するデータ供給部と、を具備することを特徴とする。
【手続補正４】
【補正対象書類名】明細書
【補正対象項目名】０００６
【補正方法】変更
【補正の内容】
【０００６】
上記の目的を達成するために、本発明の第２の態様の表示方法は、複数の表示画素が行方向及び列方向に配列され、前記表示画素が異なる色成分に対応した複数のサブ画素を有し、前記列方向に隣接する前記表示画素間で同一の色成分に対応する前記サブ画素が隣接するストライプ配列であるように配置されている表示装置の表示方法であって、所定の色成分の階調データを前記表示画素に対応した座標毎に取得する階調データ取得ステップと、
前記階調データ取得部により取得された、当該座標での前記所定の色成分の階調データと、当該座標の前記行方向に隣接した座標での前記所定の色成分の階調データと、に基づいて当該座標での前記所定の色成分の変換後の階調データを求める階調データ変換ステップと、前記階調データ変換ステップにより求められた当該座標での前記所定の色成分の変換後の階調データに対応する表示信号を、前記所定の色成分に対応した前記サブ画素に供給するデータ供給ステップと、を有することを特徴とする。
【手続補正５】
【補正対象書類名】明細書
【補正対象項目名】００１１
【補正方法】変更
【補正の内容】
【００１１】
図３は、１つのサブ画素の等価回路を示す図である。図３に示す走査ラインＧにはＴＦＴ１１のゲート電極が接続され、信号ラインＳにはＴＦＴ１１のドレイン電極が接続されている。さらに、ＴＦＴ１１のソース電極には画素電極が接続されている。そして、画素電極と対向するように共通電極が配され、画素電極と共通電極との間に液晶が充填（挟持）されている。さらに、このようにして構成される液晶容量ＣＬｃｄには蓄積容量Ｃｃｓが並列接続されている。このような構成において、画素電極と共通電極との間に電圧が印加されると、この電圧に応じて画素電極と共通電極との間に充填された液晶の配向状態が変化して液晶層中における光の透過率が変化する。これにより、図３に示すサブ画素の背面に配置された図示しない光源からの光の透過状態が変化してサブ画素毎の表示が行われる。そして、各サブ画素は、カラーフィルタによって、赤色、緑色、青色のうちで対応した色成分の光を透過させる。表示パネル１０は、このような空間分割された３種のサブ画素からの光を混色させることによって各表示画素においてカラー表示が可能なように構成されている。
【手続補正６】
【補正対象書類名】明細書
【補正対象項目名】００３３
【補正方法】変更
【補正の内容】
【００３３】
このような表示データが入力され、表示データ変換部８０がデータ変換を一切実行しない場合には、図４に示すような表示がなされる。即ち、座標（２，３）、座標（２，４）、座標（３，３）、座標（３，４）、座標（４，３）及び座標（４，４）における表示画素で比較的高輝度表示が得られ、他の表示画素では比較的低輝度表示が得られる。そして、座標（２，３）及び座標（２，４）における表示画素では当該表示画素の左端に位置するＲ画素で高輝度表示が得られ、座標（３，３）及び座標（３，４）における表示画素では当該表示画素の中央に位置するＧ画素で高輝度表示が得られ、座標（４，３）及び座標（４，４）における表示画素では当該表示画素の右端に位置するＢ画素で高輝度表示が得られることとなる。従って、このような場合には、列方向において同じ位置にあるべき画像が傾いた画像として表示されることになり、画像の位置ずれが認識されやすいものとなってしまう。
【手続補正７】
【補正対象書類名】明細書
【補正対象項目名】００３６
【補正方法】変更
【補正の内容】
【００３６】
（数５）
Ｄ'Ｂ（ｉ,ｊ）＝Ｄｍａｘ［｛（ＤＢ（ｉ,ｊ）/Ｄｍａｘ）γ｝/２＋｛（ＤＢ（ｉ,ｊ−１）/Ｄｍａｘ）γ｝/２］１/γ 
また、上述の例では表示画素をＲ画素、Ｇ画素、Ｂ画素の３つのサブ画素から構成しているが、図６に示すように、右端の表示画素についてはＢ画素を除去しておくようにしても良い。